(57)【要約】【課題】足場板の妻側端部に取り付けられる妻側足場板を提供すること。【解決手段】足場板１の妻側端部上に起立姿勢に載置される幅木本体５を有し、この幅木本体５は、幅木本体５の左右端部と、足場板１の桁側端部に沿って取り付けられる桁側幅木３の前後端部との間に構成される固定手段によって、起立姿勢に固定されるようになっている。【選択図】図１
2006124920.tif 000002
【特許請求の範囲】
【請求項１】
足場板の妻側端部上に起立姿勢に載置される幅木本体を有し、この幅木本体は、幅木本体の左右端部と、足場板の桁側端部に沿って取り付けられる桁側幅木の前後端部との間に構成される固定手段によって、前記起立姿勢に固定されるようになっている足場板用妻側幅木。
【請求項２】
前記固定手段は、ピン基軸部が幅木本体の端部に取り付けられていて、ピン先端部を桁側幅木の先端部に開口した開口部に突入させることにより、幅木本体が内側へ倒れないように規制する略倒Ｌ字形のロックピンと、桁側幅木の端部に内側へ直角に突設された突出部の内側面に幅木本体の端部を支持させることにより、幅木本体が外側へ倒れないように規制する外側倒れ規制手段と、幅木本体の端部に設けた切欠凹部に桁側幅木の端部内側に設けられた係止部を係止させることにより、幅木本体の上下動を規制する上下動規制手段とからなる請求項１に記載の足場板用妻側幅木。
【請求項３】
前記ロックピンは、基軸部と、基軸部の先端部から直角に延びる腕部と、腕部の先端部に基軸部と平行で内向きに突出する係合突起とによって略倒Ｌ字形に形成されたもので、基軸部を幅木本体５の端部に軸心回りに軸支すると共に、常時はバネにより腕部が幅木本体の上端面に引き付けられるように基軸部を付勢し、非使用時には係合突起を幅木本体の上端面に設けた係止穴に係止させておき、使用時にはロックピンをコイルバネの付勢力に抗して持ち上げ、先端部の係合突起を桁側用幅木の先端部に開口する開口部に突入させるようにしてなる請求項２に記載の足場板用妻側幅木。
【発明の詳細な説明】
【技術分野】
【０００１】
本発明は、建築作業現場等で仮設される足場板に、その妻側端部に沿って取り付けられる足場板用妻側幅木に関する。
【背景技術】
【０００２】
建築作業現場等における足場板上での高所作業は、作業者の手にしたボルト・ナット、金具等の種々の施工用部品や工具類、足元に置いた各種資材や用具等を誤って落下させ、事故につながるという危険性が常に付きまとう。そこで、安全対策として、足場板の桁側端部に沿って幅木を取り付けることが行われている。このような桁側幅木については、特許文献１等に記載されている。
【特許文献１】特開２００４−１１１５５号公報
【発明の開示】
【発明が解決しようとする課題】
【０００３】
従来の足場板用幅木は、特許文献１等からも明らかなように足場板の桁側端部に沿って取り付けられる桁側用の幅木であり、足場板の妻側端部に沿って取り付けられる足場板用幅木は未だ提供されていない。例えば、足場板をその長手方向に複数連続して配設される枠組足場においては、その連続する各足場板の桁側に幅木を取り付けていても、枠組足場の最端側にある足場板の妻側端部が開放されたままであれば、その妻側端部から各種工具類や資材等を落下させるおそれがあって、非常に危険である。
【０００４】
本発明は、上記の課題に鑑み、足場板の妻側端部に取り付けられる妻側幅木を提供することを目的とする。
【課題を解決するための手段】
【０００５】
上記課題を解決するための手段を、後述する実施形態の参照符号を付して説明すると、本発明の請求項１に係る足場板用妻側幅木は、足場板１の妻側端部上に起立姿勢に載置される幅木本体５を有し、この幅木本体５は、幅木本体５の左右端部と、足場板１の桁側端部に沿って取り付けられる桁側幅木３の前後端部との間に構成される固定手段６によって、前記起立姿勢に固定されるようになっていることを特徴とする。
【０００６】
請求項２は、請求項１に記載の足場板用妻側幅木において、前記固定手段６は、ピン基軸部７ａが幅木本体５の端部に取り付けられていて、ピン先端部７ｃを桁側幅木３の先端部に開口した開口部１０に突入させることにより、幅木本体５が内側へ倒れないように規制する略倒Ｌ字形のロックピン７と、桁側幅木３の端部に内側へ直角に突設された突出部Ａの内側面に幅木本体５の端部を支持させることにより、幅木本体５が外側へ倒れないように規制する外側倒れ規制手段１４と、幅木本体５の端部に設けた切欠凹部１３に桁側幅木３の端部内側に設けられた係止部Ｂを係止させることにより、幅木本体５の上下動を規制する上下動規制手段１５とからなることを特徴とする。
【０００７】
請求項３は、請求項２に記載の足場板用妻側幅木において、前記ロックピン７は、基軸部７ａと、基軸部７ａの先端部から直角に延びる腕部７ｂと、腕部７ｂの先端部に基軸部７ａと平行で内向きに突出する係合突起７ｃとによって略倒Ｌ字形に形成されたもので、基軸部７ａを幅木本体５の端部に軸心回りに軸支すると共に、常時はバネ８により腕部７ｂが幅木本体５の上端面５ａ上に引き付けられるように基軸部７ａを付勢し、非使用時には係合突起７ｃを幅木本体５の上端面５ａに設けた係止穴９に係止させておき、使用時にはロックピン７をコイルバネ８にの付勢力に抗して持ち上げ、先端部の係合突起７ｃを桁側用幅木３の先端部に開口する開口部１０に突入させるようにしてなることを特徴とする。
【発明の効果】
【０００８】
上記解決手段による発明の効果を、後述する実施形態の参照符号を付して説明すると、請求項１に係る発明の足場板用妻側幅木は、足場板１の妻側端部上に起立姿勢に載置される幅木本体５を有し、この幅木本体５は、幅木本体５の左右端部と、足場板１の桁側端部に沿って取り付けられる桁側幅木３の前後端部との間に構成される固定手段６によって起立姿勢に固定されるものであるから、例えば足場板１がその長手方向に複数連続して配設された枠組足場の最端側にある足場板１の妻側端部に、この発明の妻側幅木２を取り付けることによって、その妻側端部からの各種工具類や資材等の落下を防止でき、作業の安全を図ることができる。また、この妻側幅木２は、幅木本体５の左右端部と、足場板１の桁側端部に取り付けられる桁側幅木３の前後端部との間に構成される固定手段６によって起立姿勢にされるようになっているから、固定手段６の構造を簡素化でき、妻側幅木２の取付及び取り外しが簡単となる。
【０００９】
請求項２に係る発明の足場板用妻側幅木によれば、固定手段６の外側倒れ規制手段１４によって妻側幅木２の外側倒れを規制し、ロックピン７によって妻側幅木２の内側倒れを規制し、更に上下動規制手段１５によって妻側幅木２の上下動を規制するから、妻側幅木２を足場板１の妻側端部上に起立姿勢で確実に安定状態で固定することができる。
【００１０】
請求項３に係る発明の足場板用妻側幅木によれば、妻側幅木２の内側倒れ規制操作を簡単且つ容易に行うことができる。
【発明を実施するための最良の形態】
【００１１】
以下に本発明の好適実施形態を図面に基づいて説明すると、図１は本発明に係る足場板用妻側幅木２を、既に桁側用幅木３が取り付けられた足場板１の妻側端部に取り付けようとしている状態を示す斜視図であり、図２の(a) は妻側幅木２の正面図、(b) は平面図、(c) は端面図である。図３の(a) は足場板１に妻側幅木２及び桁側用幅木３が取り付けられた状態の平面図、(b) は正面図、(c) は側面図である。図４の(a) は図３の(a) の矢印イで囲まれた部分の拡大図、(b) は図３の(b) の矢印ロで囲まれた部分の拡大図、(c) は図３の(c) の矢印ハで囲まれた部分の拡大図である。図５は足場板１に桁側用幅木３が取り付けられ、妻側幅木２は未だ取り付けられていない状態での足場板１の端部側を拡大して詳細に示す斜視図である。図６は桁側用幅木３を足場板１に取り付けた状態を幅木３の外側から見た正面図であり、図７の(a) は桁側用幅木３の端部をその内側面側から見た拡大正面図、(b) は平面図、(c) は端面図である。
【００１２】
足場板１には図５，図６に示すように足場板本体１ａの前後各端面１７の左右両端部に足場板係止用フック１８，１８が突設され、各端面１７の両係止用フック１８，１８は、足場用建枠Ｔ（図３参照）の横架材１９に係止されるようになっている。
【００１３】
本発明に係る妻側幅木２は、図１に示すように足場板１の妻側端部上面４に起立姿勢で載置される幅木本体５を有し、この幅木本体５は、幅木本体５の左右端部と、足場板１の桁側端部に沿って取り付けられる桁側用幅木３の前後端部との間に構成される固定手段６によって、起立姿勢に固定されるようになっている。
【００１４】
妻側幅木２を足場板１の妻側端部上に起立姿勢に固定する固定手段６は、幅木本体５が内側へ倒れないように規制する略倒Ｌ字形のロックピン７を含む。このロックピン７は、図２から分かるように、基軸部７ａと、この基軸部７ａの先端部から直角に一体に延びる腕部７ｂと、この腕部７ｂの先端部に基軸部７ａと平行で内向きに突出する係合突起７ｃとによって略倒Ｌ字形に形成されたもので、基軸部７ａを幅木本体５の左右各端部にその上端面５ａから垂直に突入させて軸受部材１１により軸心回りに回転可能に軸支すると共に、常時はコイルバネ８によって腕部７ｂが幅木本体５の上端面５ａ上に引き付けられるように基軸部７ａを付勢し、而して妻側幅木２の非使用時には図２に示すように係合突起７ｃを幅木本体５の上端面５ａに設けた係止穴９に係止させておいて、妻側幅木２の使用時にロックピン７を図２に示す収納状態からコイルバネ８にの付勢力に抗して持ち上げ、その先端部の係合突起７ｃを、足場板１の桁側端部に取り付けられた桁側用幅木３桁側用幅木３の先端部に開口する開口部１０に突入させる（図４の(a) 及び(b) 参照）ことによって、幅木本体が内側へ倒れないように規制するものである。
【００１５】
また図２の(b) に示すように、妻側幅木２の幅木本体５には左右各端部に断面コ字形の補強ブラケット１２が取り付けられ、この補強ブラケット１２の幅木高さ方向中間部に切欠凹部１３が形成されている。ロックピン７の基軸部７ａを軸支する軸受部材１１は、この補強ブラケット１２に取り付け固定されている。
【００１６】
固定手段６は、上記のように幅木本体５が内側へ倒れないように規制するためのロックピン７の他に、図４の(a) 及び図５に示すように桁側用幅木３の端部に内側へ直角に突設された突出部Ａの内側面に幅木本体５の端部を支持させることにより、幅木本体５が足場板１の外側へ倒れないように規制する外側倒れ規制手段１４と、図４の(a) ，(d) 及び図５に示すように幅木本体５の端部に設けた前記切欠凹部１３に桁側用幅木３の端部内側に設けられた係止部Ｂを係止させることにより、幅木本体５の上下動を規制する上下動規制手段１５を含むものである。
【００１７】
上記のように構成される妻側幅木２の取付方法を説明する前に、桁側幅木３の構成について図５〜図７を参照して説明すると、この桁側幅木３は、図１及び図５に示すように、足場板１の桁側端部上面１６に起立姿勢で載置される幅木本体３ａを有する。この幅木本体３ａの前後各端部には、端部キャップ２０と、幅木本体３ａが足場板１の桁側端部上面１６上に起立姿勢に載置された状態で足場板１の外側端面４０に当接支持されるアウトガイド２１と、足場用建枠Ｔの横架材１９に掛合されるキャッチガイド２２と、このキャッチガイド２２を足場用建枠Ｔの横架材１９に掛合させてロックするロック部片２３とが設けられている。キャッチガイド２２は、端部キャップ２０内で上端部を枢着されて前後方向揺動可能に垂下され、その下端掛合部２２ａが足場板係止用フック１８の内側面１８ａに近接した位置で足場板１の前後端面１７と足場用建枠Ｔの横架材１９との間に突入し、ロック部片２３は、幅木本体１９の内側面に上下方向揺動可能に枢着されて、一端側を押し下げることにより、キャッチガイド２２を前方へ押動して、その下端掛合部２２ａを足場用建枠Ｔの横架材１９に掛合させるようになっている。
【００１８】
端部キャップ２０は、幅木本体３ａの前後各端部に取り付け固定されるもので、一枚の金属板を二つ折りにしてその折曲端部と反対側の端部を平面視略々Ｌ字状に折曲したような形状のもので、平面視略々Ｕ字状のキャップ本体２０ａと、平面視略々Ｌ字状の取付基部２０ｂとからなる。この端部キャップ２０の上端開口端面には、先端部を除いてカバー５０が取り付けられ、その先端部はロックピン７の先端係合突起７ｃが係合突入する開口部１０を形成している。また、端部キャップ２０の取付基部２０ｂの内側面は、妻側幅木２の取付時に幅木本体４ａの端部を支持するための突出部Ａを形成し、この突出部Ａと、幅木本体３ａの端部とによって前記外側倒れ規制手段１４が構成されることになる。尚、カバー５０については、図４及び図５には図示しているが、図６及び図７では図示を省略している。
【００１９】
またキャップ本体２０ａの下端部は、その前端側が側面視円弧状に形成されて、桁側用幅木３の取付に足場用建枠Ｔの横架材１９に係合可能な位置決め用の横架材係合部２４を形成し、且つキャップ本体２０ａ下端部の後端側が足場板１の前後端部に余裕をもって係合可能な足場板係合段部２５を形成し、而してこれら横架材係合部２４と足場板係合段部２５の間に形成される突片２６が、幅木取付時に足場板１の前後端面７と足場用建枠Ｔの横架材１９との間に突入するようになっている。
【００２０】
キャッチガイド２２は、端部キャップ２０のキャップ本体２０ａ内に挿入されて、その上端部が枢支軸２７によりキャップ本体２０ａに枢着されて前後方向に揺動可能に垂下され、その下端掛合部２２ａが足場板１の前後端面１７と足場用建枠Ｔの横架材１９との間に前後移動自在に突入する。このキャッチガイド２２の下端掛合部２２ａの先端面は、足場用建枠Ｔの横架材２に掛合する掛合凹部２２ｏを形成している。またキャッチガイド２２は、ロック部片２３の先端部２３ａが当接する後端部をテーパｔに形成しているから、ロック部片２３の先端側を押し下げてキャッチガイド２２を押動する時、そのテーパｔの楔効果によりキャッチガイド２２を横架材１９に強固に押し込むことができる。
【００２１】
またキャッチガイド２２は、ロック部片２３によってロックされていない状態では、その下端掛合部２２ａが足場板１の前後端面１７と足場用建枠Ｔの横架材１９との中間に位置して横架材１９に係合しないように、枢支軸２７により端部キャップ２０に枢着されている。また、キャッチガイド２２の中間部にはその前端側に切欠開口する一定長さのガイド溝２８（図７の(a) 参照）が形成されていて、このガイド溝２８にキャッチガイド２２側からガイド軸２９を挿通させ、それによってキャッチガイド２２の揺動をスムーズに行なわせるようにしている。
【００２２】
ロック部片２３は、金属帯板材をプレス加工して形成されたもので、図４及び図５から分かるように、その板面を幅木本体３ａの内側面と平行にした横長形状でその長手方向中間部が幅木本体３ａに枢支軸３０により枢着され、この枢着部より後方側には、ロック部片２３の先端側を押し下げ操作するために番線の結着作業等に使用される「しの」等の棒状金具を挿入する円筒状の棒状金具挿入部３１が設けられ、またこの枢着部と先端部との中間部前方側には、同様にロック部片２３の先端側を押し下げ操作するためにハンマー等で上から叩く叩き部３２が設けられている。
【００２３】
また、ロック部片２３の枢着部より後方側は幅木本体３ａの内側面に接触した状態にあり、枢着部より前方側は屈曲して幅木本体３ａの内側面から離れ、このロック部片２３の先端部２３ａは、幅木本体３ａの内側面と平行に延びて、端部キャップ２０の取付基部２０ｂに設けられたスリット３３に突入し、キャッチガイド２２の後端テーパｔに当接するようになっている。前記叩き部３２は、ロック部片２３が枢着部から前方側で平面視略くの字状に屈曲した部分の上端面部とされる。またロック部片２３が図５及び図６に示すようなロック位置にある時にこのロック部片２３の先端部２３ａ側部分は、妻側幅木２の取付時に幅木本体５の端部の切欠凹部１３に係止する係止部Ｂを形成し、この係止部Ｂと、幅木本体５端部の切欠凹部１３とによって、幅木本体５の上下動を規制する上下動規制手段１５が構成されることになる。
【００２４】
また、ロック部片２３を幅木本体３ａに枢着するための枢支軸３０は、図７の(b) に示すように先端部にねじ部２０ａを有するボルトからなるもので、幅木本体３ａの外側面に取り付けられるアウトガイド２１を挿通し且つ幅木本体３ａを挿通して幅木本体３ａの内側面側にねじ部３０ａを突出させ、そのねじ部３０ａをロック部片３３のねじ孔３４に螺合固定している。
【００２５】
この場合、ボルトのねじ部３０ａに緩み止めのために樹脂が塗布されていて、このねじ部２０ａをロック部片３３のねじ孔３３にねじ込むことによって、枢支軸３０がロック部片３３に対し緩むことなく一体化するようにしてある。従って、枢支軸３０は、幅木本体３ａに対して回転可能で、ロック部片３３とは一体に回転することになる。尚、このロック部片３３は、前記棒状金具を棒状金具挿入部３１に挿入して操作したり、叩き部３２をハンマー等で叩かないと簡単には揺動回転できないように、枢着部より後方側が幅木本体３ａの内側面に適当な接触摩擦力で圧接した状態に取り付けられるから、キャッチガイド２２のロック状態及びロック解除状態を確実に保持することができる。
【００２６】
而して、ロック部片２３の先端部２３ａ側が図７の(a) に示す水平姿勢から持ち上がった前上がりの状態にある時、キャッチガイド２２は、その下端掛合部２２ａが足場板１の前後端面１７と足場用建枠Ｔの横架材１９との中間に位置して、横架材１９に掛合しないロック解除状態にあるが、この前上がりの状態からロック部片２３の棒状金具挿入部３１に「しの」等の棒状金具を挿入してこじることによりロック部片２３の先端部２３ａ側を押し下げ操作したり、又はロック部片２３の叩き部３２をハンマーで上から叩いてロック部片１３の先端部を押し下げ操作して、ロック部片２３を水平姿勢にすると、ロック部片２３の先端部２３ａがキャッチガイド２２を前方へ押し込んで、その下端掛合部２２ａを横架材１９に掛合させ、これによりキャッチガイド２２はロック状態となる。
【００２７】
このキャッチガイド２２のロック状態を解除する時は、ロック部片２３の棒状金具挿入部３１に再び棒状金具を挿入してこじながらロック部片２３の先端側を押し上げるか、あるいは棒状金具挿入部３１をハンマー等で上から叩いてロック部片１３の先端側を押し上げることによって、キャッチガイド３２の下端掛合部１２ａが足場用建枠Ｔの横架材１９から離脱し、ロック解除状態となる。
【００２８】
アウトガイド２１は、図６及び図７から分かるように、幅木本体３ａの外側面にリベットで取り付けられる取付板部２１ｂと、この取付板部２１ｂの下端から一体に突出して足場板１の外側端面４０に当接支持される支持板部２１ａとからなるもので、取付板部２１ｂには、桁側幅木３の梱包等に際して幅木同士を積み重ねる時にロック部片２３との干渉を避けるための切除部３５が形成されている。
【００２９】
上記のように構成される桁側幅木３は、前述した妻側幅木２より先に足場板１に取り付けられるようになっている。而して、桁側幅木３の取付けにあたっては、幅木本体３ａを足場板１の桁側端部上面１６の上方に持ち来たして、そのまま降ろし、足場板１の桁側端部上面１６に載置し、幅木本体３ａの前後両端部に夫々設けてあるアウトガイド２１の支持板部２１ａを足場板１の外側端面４０に当接支持させると共に、キャッチガイド２２の下端掛合部２２ａを足場板１の前後端面１７と足場用建枠Ｔの横架材１９との間に突入させる。
【００３０】
この後、前上がり姿勢にあるロック部片２３の棒状金具挿入部３１に「しの」等の棒状金具を挿入してこじることによりロック部片２３の先端部を押し下げ、あるいはロック部片２３の叩き部３２をハンマーで上から叩いてロック部片２３の先端部を押し下げ、それによりロック部片２３の先端部２３ａがキャッチガイド２２を前方へ押動して、その下端掛合部２２ａを足場用建枠Ｔの横架材１９に掛合させることにより、キャッチガイド２２をロックする。
【００３１】
こうして桁側幅木３の幅木本体３ａを足場板１の桁側端部上面１６に載せて、アウトガイド２１の支持板部２１ａを足場板１の外側端面４０に当接支持させ、キャッチガイド２２の下端掛合部２２ａを足場板１の前後端面１７と足場用建枠Ｔの横架材１９との間に突入させることによって、幅木本体３ａの左右方向の移動及び倒れが阻止される。そしてキャッチガイド２２の下端掛合部２２ａを足場用建枠Ｔの横架材１９に掛合させることにより、幅木本体３ａの前後方向の移動が阻止され、これによって幅木本体３ａは起立姿勢に保持固定される。
【００３２】
次に、本発明に係る妻側幅木２を取付方法について説明すると、図１に示すように、足場板１の左右両桁側端部に桁側幅木３，３が取り付けられた状態で、両桁側幅木３，３の端部間に、同図に示すように上方から妻側幅木２を足場板１の妻側端部上面４の上に降ろして載置し、この妻側幅木２を、桁側幅木３の端部との間に構成される固定手段６であるロックピン７と外側倒れ規制手段１４と上下動規制手段１５とによって起立姿勢に固定する。
【００３３】
妻側幅木２を固定手段６によって起立姿勢に固定するには、図４の(a) に示すように、妻側幅木２の幅木本体５の左右各端部を、桁側幅木３の端部キャップ２０の取付基部２０ｂの内側面（外側倒れ規制手段１４の突出部Ａ）に当接支持させて、妻側幅木２が足場板１の外側へ倒れないように規制すると共に、桁側幅木３の端部側にあるロック部片２３の先端部２３ａ側部分（上下動規制手段１５の係止部Ｂ）を幅木本体５の端部の切欠凹部１３に係止させて幅木本体５の上下動を規制し、そしてロックピン７を収納状態からコイルバネ８にの付勢力に抗して持ち上げ、その先端部の係合突起７ｃを、足場板１の桁側端部に取り付けられた桁側用幅木３の先端部にある開口部１０に突入させて、幅木本体が内側へ倒れないように規制する。
【００３４】
このように外側倒れ規制手段１４により妻側幅木２の外側倒れを規制し、ロックピン７により妻側幅木２の内側倒れを規制し、更に上下動規制手段１５により妻側幅木２の上下動を規制することによって、妻側幅木２を足場板１の妻側端部上に起立姿勢で確実に固定することができる。
【００３５】
以上説明したように、この発明の妻側幅木２は、足場板１の妻側端部上面４に起立姿勢に載置される幅木本体５からなるもので、この幅木本体５は、幅木本体５の左右端部と、足場板１の桁側端部に沿って取り付けられる桁側幅木３の前後端部との間に構成される固定手段６によって起立姿勢に固定されるから、例えば足場板１がその長手方向に複数連続して配設された枠組足場の最端側にある足場板１の妻側端部に、この発明の妻側幅木２を取り付けることにより、その妻側端部から各種工具類や資材等を誤って落下させるおそれがなくなり、作業の安全を図ることができる。また、この妻側幅木２は、幅木本体５の左右端部と、足場板１の桁側端部に取り付けられる桁側幅木３の前後端部との間に構成される固定手段６によって起立姿勢にされるようになっているから、固定手段６の構造を簡素化でき、妻側幅木２の取付及び取り外しを簡単に行うことができる。
【００３６】
また固定手段６は、上述したようにロックピン７と外側倒れ規制手段１４と上下動規制手段１５とからなるもので、外側倒れ規制手段１４によって妻側幅木２の外側倒れを規制し、ロックピン７によって妻側幅木２の内側倒れを規制し、更に上下動規制手段１５によって妻側幅木２の上下動を規制するから、妻側幅木２を足場板１の妻側端部上に起立姿勢で確実に安定状態で固定することができる。
【００３７】
そして、この場合、妻側幅木２の内側倒れを規制するロックピン７は、基軸部７ａと、これの先端部から直角に延びる腕部７ｂと、この腕部７ｂの先端部に基軸部７ａと平行で内向きに突出する係合突起７ｃとによって略倒Ｌ字形に形成されたもので、基軸部７ａを幅木本体５の端部に軸心回りに軸支すると共に、常時はコイルバネ８により腕部７ｂが幅木本体５の上端面５ａ上に引き付けられるように基軸部７ａを付勢し、妻側幅木２の非使用時には係合突起７ｃを幅木本体５の上端面５ａに設けた係止穴９に係止させておき、妻側幅木２の使用時にはロックピン７をコイルバネ８にの付勢力に抗して持ち上げ、先端部の係合突起７ｃを桁側用幅木３の先端部に開口する開口部１０に突入させるようにしているから、妻側幅木２の内側倒れ規制操作を簡単且つ容易に行うことができる。
【００３８】
この実施形態では、外側倒れ規制手段１４の突出部Ａとして、桁側幅木３に取り付けられる端部キャップ２０の取付基部２０ｂの内側面を使用し、上下動規制手段１５の係止部Ｂとして、桁側幅木３の端部側に設けられくるック部片２３の先端部２３ａ側部分を使用しているが、これらは夫々一使用例であって、桁側幅木３の端部の構造に応じて適当な部材を使用することができる。
【図面の簡単な説明】
【００３９】
【図１】本発明に係る足場板用妻側幅木を既に桁側用幅木が取り付けられた足場板の妻側端部に上から落とし込んで取り付けようとしている状態を示す斜視図である。
【図２】の(a) は妻側幅木の正面図、(b) は平面図、(c) は端面図である。
【図３】(a) は足場板に妻側幅木及び桁側用幅木を取り付けらた状態の平面図、(b)は正面図、(c) は側面図である。
【図４】(a) は図３の(a) の矢印イで囲まれた部分の拡大図、(b) は図３の(b) の矢印ロで囲まれた部分の拡大図、(c) は図３の(c) の矢印ハで囲まれた部分の拡大図である。
【図５】足場板に桁側用幅木が取り付けられ、妻側幅木は未だ取り付けられていない状態での足場板の端部側を拡大して詳細に示す斜視図である。
【図６】足場板に桁側用幅木を取り付けた状態を外側から見た正面図である。
【図７】(a) は桁側用幅木の端部をその内側面側から見た拡大正面図、(b) は平面図、(c) は端面図である。
【符号の説明】
【００４０】
１            足場板
２            妻側幅木
３            桁側幅木
５            妻側幅木の幅木本体
６            固定手段
７            ロックピン
８            コイルバネ
１０          桁側幅木の先端部に開口する開口部
１３          幅木本体の端部の切欠凹部
１４          外側倒れ規制手段
１５          上下動規制手段
【図１】
2006124920.tif 000003
【図２】
2006124920.tif 000004
【図３】
2006124920.tif 000005
【図４】
2006124920.tif 000006
【図５】
2006124920.tif 000007
【図６】
2006124920.tif 000008
【図７】
2006124920.tif 000009